(57)【特許請求の範囲】
【請求項１】
混合されて送られてくる双方向ＣＡＴＶシステムのＲＦ信号と衛星放送のＢＳ−ＩＦ信号とを、共同受信システムの加入者側において受信するための直列ユニットにおいて、同直列ユニット（１）に前記両信号の一部を分岐する分岐器（２）と、同分岐器（２）の出力信号からＢＳ−ＩＦ信号を阻止してＲＦ信号を通過させるが加入者側より入力される上り雑音は通過させないＲＦ用分波フィルタ（３）と、同分岐器（２）の出力信号からＲＦ信号を阻止してＢＳ−ＩＦ信号を通過させるＢＳ−ＩＦ用分波フィルタ（４）とが設けられてなることを特徴とする共同受信システム用直列ユニット。
【請求項２】
混合されて送られてくる双方向ＣＡＴＶシステムのＲＦ信号と衛星放送のＣＳ−ＩＦ信号とを、共同受信システムの加入者側において受信するための直列ユニットにおいて、同直列ユニット（１）に混合されている前記両信号の一部を分岐する分岐器（２）と、同分岐器（２）の出力信号からＣＳ−ＩＦ信号を阻止してＲＦ信号を通過させるが加入者側より入力される上り雑音は通過させないＲＦ用分波フィルタ（５）と、同分岐器（２）の出力信号からＲＦ信号を阻止してＣＳ−ＩＦ信号を通過させるＣＳ−ＩＦ用分波フィルタ（６）とが設けられてなることを特徴とする共同受信システム用直列ユニット。
【請求項３】
混合されて送られてくる双方向ＣＡＴＶシステムのＲＦ信号と衛星放送のＢＳ−ＩＦ信号及びＣＳ−ＩＦ信号とを、共同受信システムの加入者側において受信するための直列ユニットにおいて、同直列ユニット（１）に混合されている前記両信号の一部を分岐する分岐器（２）と、同分岐器（２）の出力信号からＢＳ−ＩＦ信号及びＣＳ−ＩＦ信号を阻止してＲＦ信号を通過させるが加入者側より入力される上り雑音は通過させないＲＦ用分波フィルタ（７）と、同分岐器（２）の出力信号からＲＦ信号を阻止してＢＳ−ＩＦ信号及びＣＳ−ＩＦ信号を通過させるＢＳ及びＣＳ−ＩＦ用分波フィルタ（８）とが設けられてなることを特徴とする共同受信システム用直列ユニット。
【発明の詳細な説明】
【０００１】
【産業上の利用分野】
本発明の共同受信システム用直列ユニットは、マンションやホテル等の共同受信システムにおいて、同軸ケーブル等の伝送線により各部屋まで伝送されてくる双方向ＣＡＴＶのＲＦ信号と衛星放送のＢＳ−ＩＦ信号、或は同ＲＦ信号とＣＳ−ＩＦ信号、或は同ＲＦ信号とＢＳ、ＣＳの両ＩＦ信号を受信するために、ＢＳ／ＣＳチューナやＣＡＴＶチューナを接続するのに使用されるものである。
【０００２】
【従来の技術】
マンションやホテル等の共同受信システムの各端末においてＣＡＴＶ放送と衛星放送を受信する場合、図４に示すようにＣＡＴＶのＲＦ信号と衛星放送受信用パラボラアンテナからのＢＳやＣＳのＩＦ信号とを混合器Ａで混合して各部屋に分配・伝送している。この場合、混合されたＲＦ信号とＢＳやＣＳのＩＦ信号は図４のように伝送線（通常は同軸ケーブル）Ｂにより各部屋の直列ユニットＣまで伝送される。
【０００３】
この直列ユニットＣは図３に示されるように、前記伝送線Ｂに接続される入出力端子Ｅ、Ｆと、宅内の受信機（ＣＡＴＶチューナＧ、ＢＳ／ＣＳチューナＨ）に接続される分岐端子Ｉ、Ｋとを備えており、入力端子Ｅに入力された伝送線Ｂの信号を分岐器Ｊを通してローパスフィルタ（ＬＰＦ）Ｌとハイパスフィルタ（ＨＰＦ）Ｍとに送り出し、ローパスフィルタＬからの信号を分岐端子Ｉに、ハイパスフィルタＧからの信号を分岐端子Ｋに出力するようになっている。この直列ユニットＣのローパスフィルタＬはＣＡＴＶチューナＧに不要な７７０ＭＨｚ以上の高周波信号をカットし、ハイパスフィルタＭはＢＳ／ＣＳチューナＨに不要な１０３５ＭＨｚ以下の低周波信号をカットするようになっており、このため分岐端子ＩにＣＡＴＶチューナＧを接続すれば同チューナＧでＣＡＴＶ放送を視聴することができ、分岐端子ＫにＢＳ／ＣＳチューナＨを接続すれば同チューナＨでＢＳ／ＣＳ放送を視聴することができる。
【０００４】
【発明が解決しようとする課題】
しかしながら図３の直列ユニットＣでは、ＣＡＴＶシステムが双方向システムの場合、同直列ユニットＣの分岐端子Ｉに接続されている任意の端末のＣＡＴＶチューナＧから出力される上り雑音が直列ユニットＣの分岐器Ｊを通して伝送線Ｂに入り込み、他の端末からの雑音と合流して大きな上り合流雑音が発生するという問題を持っている。
【０００５】
本発明の目的は、センタ側への上り流合雑音も少なくすることができる共同受信システム用直列ユニットを提供することである。
【０００６】
【課題を解決するための手段】
本発明のうち請求項１の共同受信システム用直列ユニットは図１に示すように、混合されて送られてくる双方向ＣＡＴＶシステムのＲＦ信号と衛星放送のＢＳ−ＩＦ信号とを、共同受信システムの加入者側において受信するための直列ユニットにおいて、同直列ユニット１に前記両信号の一部を分岐する分岐器２と、同分岐器２の出力信号からＢＳ−ＩＦ信号を阻止してＲＦ信号を通過させるが加入者側より入力される上り雑音は通過させないＲＦ用分波フィルタ３と、同分岐器２の出力信号からＲＦ信号を阻止してＢＳ−ＩＦ信号を通過させるＢＳ−ＩＦ用分波フィルタ４とが設けられてなることを特徴とするものである。
【０００７】
本発明のうち請求項２の共同受信システム用直列ユニットは、混合されて送られてくる双方向ＣＡＴＶシステムのＲＦ信号と衛星放送のＣＳ−ＩＦ信号とを、共同受信システムの加入者側において受信するための直列ユニットにおいて、同直列ユニット１に混合されている前記両信号の一部を分岐する分岐器２と、同分岐器２の出力信号からＣＳ−ＩＦ信号を阻止してＲＦ信号を通過させるが加入者側より入力される上り雑音は通過させないＲＦ用分波フィルタ５と、同分岐器２の出力信号からＲＦ信号を阻止してＣＳ−ＩＦ信号を通過させるＣＳ−ＩＦ用分波フィルタ６とが設けられてなることを特徴とするものである。
【０００８】
本発明のうち請求項３の共同受信システム用直列ユニットは、混合されて送られてくる双方向ＣＡＴＶシステムのＲＦ信号と衛星放送のＢＳ−ＩＦ信号及びＣＳ−ＩＦ信号とを、共同受信システムの加入者側において受信するための直列ユニットにおいて、同直列ユニット１に混合されている前記両信号の一部を分岐する分岐器２と、同分岐器２の出力信号からＢＳ−ＩＦ信号及びＣＳ−ＩＦ信号を阻止してＲＦ信号を通過させるが加入者側より入力される上り雑音は通過させないＲＦ用分波フィルタ７と、同分岐器２の出力信号からＲＦ信号を阻止してＢＳ−ＩＦ信号及びＣＳ−ＩＦ信号を通過させるＢＳ及びＣＳ−ＩＦ用分波フィルタ８とが設けられてなることを特徴とするものである。
【０００９】
【作用】
本発明のうち請求項１の共同受信システム用直列ユニットでは、直列ユニット１に混合されているＲＦ信号、ＢＳ−ＩＦ信号の一部を分岐する分岐器２の出力側に、同分岐器２の出力信号からＢＳ−ＩＦ信号を阻止してＲＦ信号を通過させるが加入者側より入力される上り雑音は通過させないＲＦ用分波フィルタ３と、同分岐器２の出力信号からＲＦ信号を阻止してＢＳ−ＩＦ信号を通過させるＢＳ−ＩＦ用分波フィルタ４とが設けられてなる構成としたため、ＲＦ用分波フィルタ３の出力がＣＡＴＶチューナ１２に、ＢＳ−ＩＦ用分波フィルタ４の出力がＢＳ／ＣＳチューナ１３に夫々入力され、両信号が分離されて受信される。また加入者のＣＡＴＶチューナ１２からＲＦ用分波フィルタ３に上り雑音が入力されても同上り信号がＲＦ用分波フィルタ３によりカットされ、直列ユニット１の分岐器２を通してＣＡＴＶ側の伝送線に入り込むことがなく、これが他の端末からの雑音と合成されて上り合流雑音となるようなこともない。
【００１０】
本発明のうち請求項２の共同受信システム用直列ユニットでは、直列ユニット１に混合されているＲＦ信号、ＣＳ−ＩＦ信号の一部を分岐する分岐器２の出力側に、同分岐器２の出力信号からＣＳ−ＩＦ信号を阻止してＲＦ信号を通過させるが加入者側より入力される上り雑音は通過させないＲＦ用分波フィルタ５と、同分岐器２の出力信号からＲＦ信号を阻止してＣＳ−ＩＦ信号を通過させるＣＳ−ＩＦ用分波フィルタ６とが設けられてなる構成としたため、ＲＦ用分波フィルタ５の出力がＣＡＴＶチューナ１２に、ＣＳ−ＩＦ用分波フィルタ６の出力がＢＳ／ＣＳチューナ１３に夫々入力され、両信号が分離されて受信される。また加入者のＣＡＴＶチューナ１２からＲＦ用分波フィルタ５に上り雑音が入力されても同上り信号がＲＦ用分波フィルタ５によりカットされ、直列ユニット１の分岐器２を通してＣＡＴＶ側の伝送線に入り込むことがなく、これが他の端末からの雑音と合成されて上り合流雑音となるようなこともない。
【００１１】
本発明のうち請求項３の共同受信システム用直列ユニットでは、直列ユニット１に混合されているＲＦ信号、ＢＳ−ＩＦ信号、ＣＳ−ＩＦ信号の一部を分岐する分岐器２の出力側に、同分岐器２の出力信号からＢＳ−ＩＦ信号及びＣＳ−ＩＦ信号を阻止してＲＦ信号を通過させるが加入者側より入力される上り雑音は通過させないＲＦ用分波フィルタ７と、同分岐器２の出力信号からＲＦ信号を阻止してＢＳ−ＩＦ信号及びＣＳ−ＩＦ信号を通過させるＢＳ及びＣＳ−ＩＦ用分波フィルタ８とが設けられてなる構成としたため、ＲＦ用分波フィルタ７の出力がＣＡＴＶチューナ１２に、ＢＳ及びＣＳ−ＩＦ用分波フィルタ８の出力がＢＳ／ＣＳチューナ１３に夫々入力され、両信号が分離されて受信される。加入者のＣＡＴＶチューナ１２からＲＦ用分波フィルタ７に上り雑音が入力されても同上り信号がＲＦ用分波フィルタ７によりカットされ、直列ユニット１の分岐器２を通してＣＡＴＶ側の伝送線に入り込むことがなく、これが他の端末からの雑音と合成されて上り合流雑音となるようなこともない。
【００１２】
【実施例】
図１は本発明の共同受信システム用直列ユニットの一実施例を示したものであり、１は同直列ユニット、１８は双方向ＣＡＴＶからの放送信号（ＲＦ信号）と衛星放送受信用パラボラアンテナからのＢＳ−ＩＦ信号とが混合されて伝送される伝送線（同軸ケーブル）である。
【００１３】
前記直列ユニット１は図２に示すようなケース１９に納められており、同ケース１９には伝送線１８を接続するための入力端子１０と出力端子１１の他に、宅内にあるＣＡＴＶチューナ１２を接続するためのＲＦ端子１４とＢＳ／ＣＳチューナ１３を接続するためのＢＳ−ＣＳ端子１５とが設けられている。なお、前記本ケース１９はアルミダイカストで図２に示すような形状に作ってあり、外部からの飛込み電波を乗りにくくしてある（妨害を受けにくくしてある）。また入力端子１０、出力端子１１は接栓タイプのコネクタとしてあり、これにより強電界地域等でも伝送線１８に不要電波が混入しにくく、ゴーストの発生が防止されるようにしてある。
【００１４】
前記直列ユニット１のケース１９内には、入力端子１０に入力されたＲＦ及びＢＳ−ＩＦ信号を分岐して出力する分岐器２が設けられており、この分岐器２の出力端にはＢＳ−ＩＦ信号を阻止してＲＦ信号を通過させるがＣＡＴＶチューナ１２より入力される上り雑音は通過させないＲＦ用分波フィルタ３と、ＲＦ信号を阻止してＢＳ−ＩＦ信号を通過させるＢＳ−ＩＦ用分波フィルタ４とが接続され、前記ＲＦ用分波フィルタ３の出力端にはＲＦ端子１４が配線され、ＢＳ−ＩＦ用分波フィルタ４の出力端にはＢＳ−ＣＳ端子１５が配線されている。
【００１５】
前記ＲＦ用分波フィルタ３はＣＡＴＶで下り信号の伝送に使われているＲＦ信号、即ち７０〜４５０ＭＨｚの周波数帯域にある信号を通過するフィルタである。これには７０〜４５０ＭＨｚの信号のみを通過するバンドパスフィルタ（ＢＰＦ）を使用することができる。ＢＰＦを使用することによりＣＡＴＶで上り信号の伝送に使われている１０〜５０ＭＨｚのＲＦ信号もカットできるので、加入者側のＣＡＴＶチューナ１２から伝送路８に上り雑音が入らないようにするには都合が良い。
【００１６】
前記ＢＳ−ＩＦ用分波フィルタ４は１ＧＨｚ帯にあるＢＳ−ＩＦ信号を通過させるフィルタである。これには１ＧＨｚ以上の信号は通過させるがそれ以下の信号はカットするハイパスフィルタや、１ＧＨｚ帯の信号のみを通過させるバンドパスフィルタ、さらには１ＧＨｚ帯の信号のうちＣＳ−ＩＦ信号も阻止してＢＳ−ＩＦ信号のみを通過可能とするバンドパスフィルタ等を使用することができる。
【００１７】
なお、前記伝送線１８にＲＦ信号とＣＳ−ＩＦ信号とが混合されて伝送される場合は、分岐器２の出力端にＣＳ−ＩＦ信号を阻止してＲＦ信号を通過させるがＣＡＴＶチューナ１２より入力される上り雑音は通過させないＲＦ用分波フィルタ５と、ＲＦ信号を阻止してＣＳ−ＩＦ信号を通過させるＣＳ−ＩＦ用分波フィルタ６とを接続させ、前記ＲＦ用分波フィルタ５の出力端にはＲＦ端子１４を配線させ、ＣＳ−ＩＦ用分波フィルタ６の出力端にはＢＳ−ＣＳ端子１５を配線させる。この場合、ＲＦ用分波フィルタ５としては７０〜４５０ＭＨｚの信号のみを通過するバンドパスフィルタ（ＢＰＦ）を使用することができ、ＣＳ−ＩＦ用分波フィルタ６としては１ＧＨｚ以上の信号は通過させるがそれ以下の信号はカットするハイパスフィルタや、１ＧＨｚ帯の信号のみを通過させるバンドパスフィルタ、さらには１ＧＨｚ帯の信号のうちＢＳ−ＩＦ信号も阻止してＣＳ−ＩＦ信号のみを通過可能とするバンドパスフィルタ等を使用することができる。
【００１８】
この他、前記伝送線１８にＲＦ信号、ＢＳ−ＩＦ信号、ＣＳ−ＩＦ信号が混合されて伝送される場合は、分岐器２の出力端にＢＳ−ＩＦ信号及びＣＳ−ＩＦ信号を阻止してＲＦ信号を通過させるがＣＡＴＶチューナ１２より入力される上り雑音は通過させないＲＦ用分波フィルタ７と、ＲＦ信号を阻止してＢＳ−ＩＦ信号及びＣＳ−ＩＦ信号を通過させるＢＳ及びＣＳ−ＩＦ用分波フィルタ８とを接続させ、前記ＲＦ用分波フィルタ７の出力端にはＲＦ端子１４を配線させ、ＢＳ及びＣＳ−ＩＦ用分波フィルタ８の出力端にはＢＳ−ＣＳ端子１５を配線させる。この場合、ＲＦ用分波フィルタ７としては７０〜４５０ＭＨｚの信号のみを通過するバンドパスフィルタ（ＢＰＦ）を使用することができ、ＢＳ及びＣＳ−ＩＦ用分波フィルタ８としては１ＧＨｚ以上の信号は通過させるがそれ以下の信号はカットするハイパスフィルタや、１ＧＨｚ帯の信号のみを通過させるバンドパスフィルタを使用することができる。
【００１９】
【発明の効果】
本発明の共同受信システム用直列ユニットは下記のような効果がある。
▲１▼．ＣＡＴＶチューナに必要なＲＦ信号と、ＢＳ／ＣＳチューナに必要なＢＳ−ＩＦ信号、ＣＳ−ＩＦ信号、ＢＳ−ＩＦ信号及びＣＳ−ＩＦ信号とが夫々個別に出力されるので、直接ＣＡＴＶチューナとＢＳ／ＣＳチューナとを接続して夫々の信号を受信することができる。
▲２▼．分波器等を接続する必要がないのでＣＡＴＶチューナやＢＳ／ＣＳチューナの配線が簡易になる。
▲３▼．ＣＡＴＶチューナからの信号がＲＦ用分波フィルタによりカットされるため、同チューナの雑音が直列ユニットの分岐器を通してＣＡＴＶ側の伝送線に入り込んで上り合流雑音となるようなこともない。
【図面の簡単な説明】
【図１】本発明の共同受信システム用直列ユニットの一実施例を示した回路図。
【図２】図１の共同受信システム用直列ユニットの外観を示した正面図。
【図３】従来の共同受信システム用直列ユニットの一例を示した回路図。
【図４】ＣＡＴＶ放送とＢＳ及びＣＳ放送の共同受信施設の一例を示した概略図。
【符号の説明】
１  直列ユニット
２  分岐器
３  ＲＦ用分波フィルタ
４  ＢＳ−ＩＦ用分波フィルタ
５  ＲＦ用分波フィルタ
６  ＣＳ−ＩＦ用分波フィルタ
７  ＲＦ用分波フィルタ
８  ＢＳ及びＣＳ−ＩＦ用分波フィルタ
【図１】
0003630463.tif 000002
【図２】
0003630463.tif 000003
【図３】
0003630463.tif 000004
【図４】
0003630463.tif 000005